(57)【要約】【課題】ユーザが自由に且つ容易に画像を作成し、この作成した画像を含む装飾メールのテンプレートを利用可能とすることを目的とする。【解決手段】Ｗｅｂコンテンツ上で描かれた画像を含むデータに基づいて、複数の通信事業者毎の装飾メールのテンプレートを作成するテンプレート作成手段と、複数の通信事業者毎の装飾メールのテンプレートを記憶手段に保存するテンプレート保存手段と、装飾メールのテンプレートのダウンロードに関する場所情報を２次元コード化する２次元コード化手段と、携帯電話装置の通信事業者を判別する通信事業者判別手段と、通信事業者判別手段が判別した判別結果に基づいて、記憶手段に保存されている、携帯電話装置の通信事業者に対応する装飾メールのテンプレートを携帯電話装置からダウンロード可能にするダウンロード可能化手段と、を有することによって課題を解決する。【選択図】図１
2008225604.tif 000002
【特許請求の範囲】
【請求項１】
装飾メールのテンプレートを作成するテンプレート作成装置であって、
ネットワークを介して通信可能な情報処理装置のＷｅｂブラウザのＷｅｂコンテンツ上で描かれた画像を含むデータに基づいて、複数の通信事業者毎の装飾メールのテンプレートを作成するテンプレート作成手段と、
前記テンプレート作成手段が作成した複数の通信事業者毎の装飾メールのテンプレートを記憶手段に保存するテンプレート保存手段と、
前記装飾メールのテンプレートのダウンロードに関する場所情報を２次元コード化する２次元コード化手段と、
ネットワークを介して通信可能な携帯電話装置が２次元コード読み取り機能を用いて、前記情報処理装置の前記Ｗｅｂブラウザ上に表示された前記２次元コードを読み取り、前記場所情報に基づきアクセスしてきた場合、前記携帯電話装置の通信事業者を判別する通信事業者判別手段と、
前記通信事業者判別手段が判別した判別結果に基づいて、前記記憶手段に保存されている、前記携帯電話装置の通信事業者に対応する装飾メールのテンプレートを前記携帯電話装置からダウンロード可能にするダウンロード可能化手段と、
を有することを特徴とするテンプレート作成装置。
【請求項２】
前記画像を含むデータには、装飾メールの背景の色情報及び装飾メールの文字の色情報が更に含まれ、
前記テンプレート作成手段は、前記画像と、前記装飾メールの背景の色と、前記装飾メールの文字の色情報と、に基づいて、装飾メールのテンプレートを作成することを特徴とする請求項１に記載のテンプレート作成装置。
【請求項３】
前記Ｗｅｂコンテンツを制御するＷｅｂコンテンツ制御手段を更に有することを特徴とする請求項１又は２に記載のテンプレート作成装置。
【請求項４】
コンピュータを、
ネットワークを介して通信可能な情報処理装置のＷｅｂブラウザのＷｅｂコンテンツ上で描かれた画像を含むデータに基づいて、複数の通信事業者毎の装飾メールのテンプレートを作成するテンプレート作成手段と、
前記テンプレート作成手段が作成した複数の通信事業者毎の装飾メールのテンプレートを記憶手段に保存するテンプレート保存手段と、
前記装飾メールのテンプレートのダウンロードに関する場所情報を２次元コード化する２次元コード化手段と、
ネットワークを介して通信可能な携帯電話装置が２次元コード読み取り機能を用いて、前記情報処理装置の前記Ｗｅｂブラウザ上に表示された前記２次元コードを読み取り、前記場所情報に基づきアクセスしてきた場合、前記携帯電話装置の通信事業者を判別する通信事業者判別手段と、
前記通信事業者判別手段が判別した判別結果に基づいて、前記記憶手段に保存されている、前記携帯電話装置の通信事業者に対応する装飾メールのテンプレートを前記携帯電話装置からダウンロード可能にするダウンロード可能化手段と、
して機能させることを特徴とするプログラム。
【請求項５】
請求項４に記載のプログラムを記憶したコンピュータ読み取り可能な記憶媒体。
【発明の詳細な説明】
【技術分野】
【０００１】
本発明は、テンプレート作成装置、プログラム及び記憶媒体に関する。
【背景技術】
【０００２】
メールの背景色や文字色を変えたり、メールに画像（例えば絵文字等）をつけたりとメールを自由に装飾できるサービスがある。
【０００３】
【特許文献１】特開２００４−１２８６４９号公報
【発明の開示】
【発明が解決しようとする課題】
【０００４】
しかしながら、従来のサービスでは、予め携帯電話装置にインストールされた画像や、通信事業者等によって用意されているサーバ等から携帯電話にダウンロードした画像しか使うことができず、ユーザが自由に且つ容易に画像を作成し、メールにつけることができない問題があった。
【０００５】
本発明はこのような問題点に鑑みなされたもので、ユーザが自由に且つ容易に画像を作成し、この作成した画像を含む装飾メールのテンプレートを利用可能とすることを目的とする。
【課題を解決するための手段】
【０００６】
そこで、本発明は、装飾メールのテンプレートを作成するテンプレート作成装置であって、ネットワークを介して通信可能な情報処理装置のＷｅｂブラウザのＷｅｂコンテンツ上で描かれた画像を含むデータに基づいて、複数の通信事業者毎の装飾メールのテンプレートを作成するテンプレート作成手段と、前記テンプレート作成手段が作成した複数の通信事業者毎の装飾メールのテンプレートを記憶手段に保存するテンプレート保存手段と、前記装飾メールのテンプレートのダウンロードに関する場所情報を２次元コード化する２次元コード化手段と、ネットワークを介して通信可能な携帯電話装置が２次元コード読み取り機能を用いて、前記情報処理装置の前記Ｗｅｂブラウザ上に表示された前記２次元コードを読み取り、前記場所情報に基づきアクセスしてきた場合、前記携帯電話装置の通信事業者を判別する通信事業者判別手段と、前記通信事業者判別手段が判別した判別結果に基づいて、前記記憶手段に保存されている、前記携帯電話装置の通信事業者に対応する装飾メールのテンプレートを前記携帯電話装置からダウンロード可能にするダウンロード可能化手段と、を有することを特徴とする。
【０００７】
また、本発明は、プログラム及び記憶媒体としてもよい。
【発明の効果】
【０００８】
本発明によれば、ユーザが自由に且つ容易に画像を作成し、この作成した画像を含む装飾メールのテンプレートを利用可能とすることができる。
【発明を実施するための最良の形態】
【０００９】
以下、本発明の実施形態について図面に基づいて説明する。
【００１０】
＜実施形態１＞
図１は、テンプレート作成システムの一例を示す図である。図１に示されるように、テンプレート作成システムは、サーバ装置１と、サーバ装置１とネットワーク４を介して接続されたクライアント装置２と、サーバ装置１とネットワーク５を介して接続された携帯電話装置３と、を含む。
【００１１】
サーバ装置１は、後述するＷｅｂコンテンツをクライアント装置２のＷｅｂブラウザに表示させ、Ｗｅｂコンテンツを制御し、クライアント装置２のマウスやキーボードによる入力を受け付け、この入力に応じてデータ（又は情報）をＷｅｂコンテンツ上に表示する。例えば、ユーザは、クライアント装置２の入力装置（マウスやキーボード）を用いて、Ｗｅｂコンテンツ上で絵を描いたり、装飾メールの背景色や、文字の色等を選択したりすることができる。なお、ここで、装飾メールとは、背景色をつけたり、文字に色をつけたり、画像をつけたりしたメールのことである。
【００１２】
サーバ装置１は、クライアント装置２のＷｅｂブラウザに表示される、Ｗｅｂコンテンツ上で描かれた絵や、選択された装飾メールの背景の色、文字の色等に基づき、装飾メールのテンプレートを作成する。
【００１３】
ここで、サーバ装置１は、携帯電話装置のキャリア（通信事業者）に応じて複数のテンプレート（テンプレートファイル）を作成する。より具体的に説明すると、サーバ装置１は、Ｗｅｂコンテンツ上で描かれた絵や、選択された装飾メールの背景の色、文字の色等に基づき、キャリアに応じて、ｄｍｔ形式の装飾メールのテンプレートファイルと、ｋｈｍ形式の装飾メールのテンプレートファイルと、ｈｍｔ形式の装飾メールのテンプレートファイルと、の３つのテンプレートファイルを作成する。
【００１４】
そして、サーバ装置１は、作成した複数のテンプレートファイルを保存した場所等を示すＵＲＬを含む（又はＵＲＬに基づき）２次元コード（例えば、ＱＲコード（登録商標）等）を作成し、作成した２次元コードをクライアント装置２のＷｅｂブラウザのＷｅｂコンテンツ上に表示させる。
【００１５】
ユーザは、クライアント装置２のＷｅｂブラウザのＷｅｂコンテンツ上に表示された２次元コードを、２次元コード読み取り機能を有する携帯電話装置３で撮影する。このことによって、携帯電話装置３の画面には、２次元コードに含まれていたＵＲＬが表示される。例えば、ユーザは、このＵＲＬを携帯電話装置３の操作ボタン等を用いて選択する。
【００１６】
携帯電話装置３から前記ＵＲＬに対応する場所にアクセスがあると、サーバ装置１は、このアクセス時に得られる情報（より具体的には、携帯電話装置３のブラウザのユーザエージェント）に基づき、携帯電話装置３のキャリアを判別する。そして、サーバ装置１は、このキャリアの判別結果に応じて、携帯電話装置３のキャリアに応じたテンプレートファイルを携帯電話装置３にダウンロードさせる（又は携帯電話装置３が前記テンプレートファイルをダウンロードすることができるようにする）。
【００１７】
より具体的に説明すると、サーバ装置１は、例えば、キャリアの判別の結果、携帯電話装置３のキャリアがドコモ（登録商標）であることが分かると、作成した複数の装飾メールのテンプレートファイルの内、ｄｍｔ形式の装飾メールのテンプレートファイルを携帯電話装置３にダウンロードさせる。ユーザは、この装飾メールのテンプレートファイルを携帯電話装置３に保存しておくことによって、このテンプレートファイルを使って装飾メールを送信することができる。
【００１８】
図２は、サーバ装置１のハードウェア構成の一例を示す図である。図２に示されるように、サーバ装置１は、ハードウェア構成として、ＣＰＵ１１、ＲＯＭ１２、ＲＡＭ１３、入力装置１４、表示装置１５、通信装置１６、ＨＤＤ１７を有する。
【００１９】
ＣＰＵ１１は、サーバ装置１全体の制御を司る。ＲＯＭ１２は、読み出し専用記憶装置であり、ＣＰＵ１１によって実行される、電源投入時に最初に読み込まれるプログラム等が記憶されている。ＲＡＭ１３は、ＣＰＵ１１がプログラムを実行するためのワークエリアとして使用される。入力装置１４は、各種データ及びコマンドの入力を行う。なお、入力装置１４の一例としては、例えば、マウスやキーボード等である。但し、入力装置１４は、サーバ装置１の必須のハードウェア構成ではない。
【００２０】
表示装置１５は、各種データ等の表示及び入力装置１４の操作に対応するカーソルを表示する。なお、表示装置１５もサーバ装置１の必須のハードウェア構成ではない。通信装置１６は、外部端末（例えばクライアント装置２や携帯電話装置３等）からデータを取得したり、外部端末装置にデータを送信したりする。
【００２１】
ＨＤＤ１７は、装飾メールのテンプレート等を記憶するエリアとして使用される。また、ＨＤＤ１７には、例えば装飾メールのテンプレートの作成に関するプログラム等が記憶されている。
【００２２】
ＣＰＵ１１が、ＨＤＤ１７に記憶されているプログラムをＲＡＭ１３上に読み出して、このプログラムに基づいて、処理を実行することにより、後述するサーバ装置１の機能を実現する。
【００２３】
図３は、サーバ装置１の機能構成の一例を示す図（その１）である。図３に示されるように、サーバ装置１は、機能構成として、Ｗｅｂコンテンツ制御部２１と、テンプレート作成部２２と、テンプレート保存部２３と、２次元コード化部２４と、通信事業者判別部２５と、ダウンロード可能化部２６と、を含む。
【００２４】
Ｗｅｂコンテンツ制御部２１は、後述する図４〜図７に示されるようなＷｅｂコンテンツの表示制御及びＷｅｂコンテンツ上で描かれた絵や、選択された装飾メールの背景色、文字の色等のデータ（又は情報）の取得制御を行う。
【００２５】
テンプレート作成部２２は、Ｗｅｂコンテンツ制御部２１が取得したＷｅｂコンテンツ上で描かれた絵や、選択された装飾メールの背景色、文字の色等のデータに基づき、携帯電話装置のキャリア（通信事業者）に応じた複数の装飾メールのテンプレート（テンプレートファイル）を作成する。
【００２６】
テンプレート保存部２３は、テンプレート作成部２２が作成したテンプレートをＨＤＤ１７等のディレクトリ（又はフォルダ）等に保存する。２次元コード化部２４は、例えば、テンプレート保存部２３がテンプレートを保存したディレクトリを示すＵＲＬを含む２次元コードを作成する。Ｗｅｂコンテンツ制御部２１は、２次元コード化部２４が作成した２次元コードを、クライアント装置２のＷｅｂブラウザのＷｅｂコンテンツ上に表示させる。
【００２７】
通信事業者判別部２５は、携帯電話装置３が、前記２次元コードを撮影し、前記ＵＲＬにアクセスしてきた場合、このアクセス時に得られる情報（より具体的には、携帯電話装置３のブラウザのユーザエージェント）に基づき、携帯電話装置３のキャリアを判別する。
【００２８】
ダウンロード可能化部２６は、通信事業者判別部２５における携帯電話装置３のキャリア（通信事業者）の判別結果に応じて、前記ディレクトリ（又はフォルダ）に保存されている複数の装飾メールのテンプレートの内、携帯電話装置３のキャリアに対応する装飾メールのテンプレートを、携帯電話装置３がダウンロードできるようにする。
【００２９】
以下、Ｗｅｂコンテンツ制御部２１において制御されている、クライアント装置２のＷｅｂブラウザに表示されるＷｅｂコンテンツの一例を、図４〜図７を用いて説明する。
【００３０】
図４は、Ｗｅｂコンテンツの初期画面の一例を示す図である。まず、ユーザは、クライアント装置２の入力装置を用いて、図４に示されるようなＷｅｂコンテンツ上でペンの太さや、ペンの色等を選択し、絵を描く。
なお、ユーザは、クライアント装置２の入力装置を用いて、３１をクリックすることによって、ペンの太さを選択することができる。また、ユーザは、クライアント装置２の入力装置を用いて、３２をクリックすることによって、ペンの色を選択することができる。また、ユーザは、クライアント装置２の入力装置を用いて、３３をクリックすることによって、書いた絵等を消すことができる消しゴムを選択することができる。
【００３１】
また、ユーザは、クライアント装置２の入力装置を用いて、３４をクリックすることによって、様々な形を有するスタンプを選択することができる。また、ユーザは、クライアント装置２の入力装置を用いて、３５をクリックすることによって、一つ前の画面（Ｗｅｂコンテンツの画面）に戻ることができる。
【００３２】
また、ユーザは、クライアント装置２の入力装置を用いて、３６をクリックすることによって、描いた絵等を全部消すことができる。また、ユーザは、クライアント装置２の入力装置を用いて、３７をクリックすることによって、描いた絵等をプレビュー表示させることができる。
【００３３】
上述したように、ユーザはこれらの機能を用いてＷｅｂコンテンツ上に絵を描く。図５は、Ｗｅｂコンテンツ上に絵を描いた一例を示す図である。図５において、ユーザが、クライアント装置２の入力装置を用いて、次へボタン４１をクリックすると、以下に示す図６の画面に遷移する。
なお、Ｗｅｂコンテンツ制御部２１は、例えば、図５に示されるような画面において次へボタン４１をクリックされたことを検知すると、Ｗｅｂコンテンツ上で描かれた絵を画像として取得する。
【００３４】
図６は、背景の色と、文字の色とを選択する画面の一例を示す図である。
ユーザは、クライアント装置２の入力装置を用いて、３８をクリックすることによって、装飾メールの背景の色を設定することができる。また、ユーザは、クライアント装置２の入力装置を用いて、３９をクリックすることによって、装飾メールの文字の色を設定することができる。図６において、ユーザが、クライアント装置２の入力装置を用いて、次へボタン４１をクリックすると、以下に示す図７の画面に遷移する。
【００３５】
なお、Ｗｅｂコンテンツ制御部２１は、例えば、図６に示されるような画面において次へボタン４１をクリックされたことを検知すると、図６の画面において設定された背景の色や、文字の色等のデータ（情報）を取得する。Ｗｅｂコンテンツ制御部２１が、背景の色や、文字の色等のデータを取得すると、テンプレート作成部２２が、上述したように、Ｗｅｂコンテンツ制御部２１が取得した絵や、背景色、文字の色等のデータに基づき、テンプレートを作成する。そして、テンプレート保存部２３がキャリアに応じた複数のテンプレートを保存する。そして、２次元コード化部２４が、テンプレート保存部２３がテンプレートを保存したディレクトリを示すＵＲＬを含む２次元コードを作成する。そして、Ｗｅｂコンテンツ制御部２１が、２次元コード化部２４が作成した２次元コードを、クライアント装置２のＷｅｂブラウザのＷｅｂコンテンツ上に表示させる。
【００３６】
図７は、２次元コードを表示する画面の一例を示す図である。図７に示されるＷｅｂコンテンツには２次元コードが表示されている。ユーザは、携帯電話装置３を用いてこの２次元コードを読み取ることによって、サーバ装置１にアクセスして、自身が作成した絵や、自身が設定した背景色や文字の色等を含む、装飾メールのテンプレートファイルを携帯電話装置３にダウンロードすることができる。
【００３７】
＜実施形態２＞
上述した実施形態では、テンプレート保存部２３は、テンプレート作成部２２が作成した複数のテンプレートを同一のディレクトリに保存し、２次元コード化部２４は、テンプレート保存部２３がテンプレートを保存したディレクトリを示すＵＲＬを含む２次元コードを作成するよう説明を行った。しかしながら、例えば、テンプレート保存部２３は、テンプレート作成部２２が作成した複数のテンプレートを例えば同一の階層にある異なるディレクトリにそれぞれ保存し、２次元コード化部２４は、テンプレート保存部２３がテンプレートを保存したディレクトリの一つ上の階層のディレクトリを示すＵＲＬを含む２次元コードを作成するようにしてもよい。
【００３８】
このようにした場合、通信事業者判別部２５は、携帯電話装置３が、前記２次元コードを撮影し、前記ＵＲＬにアクセスしてきた場合、このアクセス時に得られる情報（より具体的には、携帯電話装置３のブラウザのユーザエージェント）に基づき、携帯電話装置３のキャリアを判別する。
【００３９】
ダウンロード可能化部２６は、通信事業者判別部２５における携帯電話装置３のキャリア（通信事業者）の判別結果に応じて、前記ＵＲＬが指し示すディレクトリ（又はフォルダ）に、携帯電話装置３のキャリアに対応する装飾メールのテンプレートをコピーし、前記装飾メールのテンプレートを携帯電話装置３がダウンロードできるようにするようにしてもよい。
【００４０】
＜実施形態３＞
本実施形態では、携帯電話装置３のキャリアを判別した後、このキャリアに応じた装飾メールのテンプレートを作成する一例を説明する。
図８は、サーバ装置１の機能構成の一例を示す図（その２）である。図８に示されるように、サーバ装置１は、機能構成として、Ｗｅｂコンテンツ制御部５１と、データ保存部５２と、２次元コード化部５３と、通信事業者判別部５４と、テンプレート作成部５５と、ダウンロード可能化部５６と、を含む。
【００４１】
Ｗｅｂコンテンツ制御部５１は、Ｗｅｂコンテンツの表示制御及びＷｅｂコンテンツ上で描かれた絵や、選択された装飾メールの背景色、文字の色等のデータ（又は情報）の取得制御を行う。
【００４２】
データ保存部５２は、Ｗｅｂコンテンツ制御部２１が取得したＷｅｂコンテンツ上で描かれた絵や、選択された装飾メールの背景色、文字の色等のデータをＨＤＤ１７等のディレクトリ（又はフォルダ）等に保存する。
【００４３】
２次元コード化部５３は、例えば、データ保存部５２がデータを保存したディレクトリを示すＵＲＬを含む２次元コードを作成する。Ｗｅｂコンテンツ制御部５１は、２次元コード化部５３が作成した２次元コードを、クライアント装置２のＷｅｂブラウザのＷｅｂコンテンツ上に表示させる。
【００４４】
通信事業者判別部５４は、携帯電話装置３が、前記２次元コードを撮影し、前記ＵＲＬにアクセスしてきた場合、このアクセス時に得られる情報（より具体的には、携帯電話装置３のブラウザのユーザエージェント）に基づき、携帯電話装置３のキャリアを判別する。
【００４５】
テンプレート作成部５５は、通信事業者判別部５４における携帯電話装置３のキャリア（通信事業者）の判別結果に応じて、前記ディレクトリ（又はフォルダ）に保存されているデータ（Ｗｅｂコンテンツ上で描かれた絵や、選択された装飾メールの背景色、文字の色等のデータ）に基づき、テンプレートを作成する。
【００４６】
ダウンロード可能化部５６は、テンプレート作成部５５が作成したテンプレートを、携帯電話装置３がダウンロードできるようにする。
【００４７】
以上、上述した各実施形態によれば、ユーザが自由に且つ容易に画像を作成し、この作成した画像を含む装飾メールのテンプレートを利用可能とすることができる。また、上述した各実施形態によれば、ユーザは、携帯電話のキャリアを意識することなく、装飾メールを用いることができる。
【００４８】
以上、本発明の好ましい実施形態について詳述したが、本発明は係る特定の実施形態に限定されるものではなく、特許請求の範囲に記載された本発明の要旨の範囲内において、種々の変形・変更が可能である。
【図面の簡単な説明】
【００４９】
【図１】テンプレート作成システムの一例を示す図である。
【図２】サーバ装置１のハードウェア構成の一例を示す図である。
【図３】サーバ装置１の機能構成の一例を示す図（その１）である。
【図４】Ｗｅｂコンテンツの初期画面の一例を示す図である。
【図５】Ｗｅｂコンテンツ上に絵を描いた一例を示す図である。
【図６】背景の色と、文字の色とを選択する画面の一例を示す図である。
【図７】２次元コードを表示する画面の一例を示す図である。
【図８】サーバ装置１の機能構成の一例を示す図（その２）である。
【符号の説明】
【００５０】
１    サーバ装置
２    クライアント装置
３    携帯電話装置
４    ネットワーク
５    ネットワーク
１１  ＣＰＵ
１２  ＲＯＭ
１３  ＲＡＭ
１４  入力装置
１５  表示装置
１６  通信装置
１７  ＨＤＤ
２１  Ｗｅｂコンテンツ制御部
２２  テンプレート作成部
２３  テンプレート保存部
２４  ２次元コード化部
２５  通信事業者判別部
２６  ダウンロード可能化部
【図１】
2008225604.tif 000003
【図２】
2008225604.tif 000004
【図３】
2008225604.tif 000005
【図４】
2008225604.tif 000006
【図５】
2008225604.tif 000007
【図６】
2008225604.tif 000008
【図７】
2008225604.tif 000009
【図８】
2008225604.tif 000010